(57)【要約】【課題】各レンズ支持枠が光軸方向に対して相互に接離移動しても十分な遮光効果を発揮し、かつ単純な構造で省スペース化を実現した遮光部材を有するレンズ鏡筒を提供する。【解決手段】遮光機能を有したレンズ鏡筒において、第１の開口１６０を有する第１の枠１６と、上記第１の開口１６０と異なる開口で前記第１の開口に平行に対向した第２の開口１９０を有した第２の枠１９と、一端が第１の開口１６０周囲近傍の固定部１６ｅに固着される第３の開口を有し、他端が第２の開口１９０周囲近傍の固定部１９ａに固着される第４の開口を有し、上記第３の開口と上記第４の開口とを繋ぐテーパ状の変形可能な薄肉のリング状部材からなり、上記第１の枠と上記第２の枠との相対移動を可能とする遮光部材７２とを有したことを特徴とする。【選択図】  図１１
2004252197.tif 000002
【特許請求の範囲】
【請求項１】
遮光機能を有したレンズ鏡筒において、
第１の開口を有する第１の枠と、
上記第１の開口と異なる開口で前記第１の開口に対向した第２の開口を有し、前記第１の開口と前記第２の開口との間隔が変化するよう上記第１の枠と相対移動する第２の枠と、
一端が上記第１の開口周囲近傍の固定部に固着され、第３の開口を有し、他端が上記第２の開口周囲近傍の固定部に固着され、上記第３の開口とは異なる第４の開口を有し、上記第３の開口と上記第４の開口とを繋ぐテーパ状の変形可能な薄肉のリング状部材からなり、上記第１の枠と上記第２の枠との相対移動を可能とする遮光部材と、
を有したことを特徴とするレンズ鏡筒。
【請求項２】
遮光機能を有したレンズ鏡筒において、
第１の開口を有する第１の枠と、
上記第１の開口より小さい開口である第２の開口を有し、上記第１の枠と相対移動する第２の枠と、
一端が上記第１の開口周囲近傍の固定部に固着される第３の開口を有し、他端が上記第２の開口周囲近傍の固定部に固着される上記第３の開口より小さい開口である第４の開口を有し、上記第３の開口と上記第４の開口とを繋ぐテーパ状の変形可能な薄肉からなるリング状部材であって、上記第１の枠と上記第２の枠との相対移動を可能とする遮光部材と、
を有したことを特徴とするレンズ鏡筒。
【請求項３】
上記遮光部材は、上記第１の枠と上記第２の枠とに組み付けられた状態において、上記テーパ状の中心軸方向に、座屈していることを特徴とする請求項１乃至２に記載のレンズ鏡筒。
【請求項４】
上記座屈している座屈部は、上記第１の枠及び上記第２の枠が相対移動することによって上記テーパ状の中心軸方向に移動することを特徴とする請求項３に記載のレンズ鏡筒。
【請求項５】
上記座屈部は、上記第１の開口周囲近傍の固定部、及び上記第２の開口周囲近傍の固定部に対し相対移動し、上記遮光部材の座屈部の一部は、上記第１の開口周囲近傍の固定部近傍を上記テーパ状の中心軸方向に通過可能であることを特徴とする請求項４に記載のレンズ鏡筒。
【発明の詳細な説明】
【０００１】
【発明の属する技術分野】
本発明は、レンズ鏡筒、詳しくは、枠部材間に遮光部材を有するレンズ鏡筒に関する。
【０００２】
【従来の技術】
周知のように、レンズ鏡筒には、不要な光がカメラ内に入射するのを防ぐために、相対回転、及び相対直進移動するレンズ枠間に遮光部材が設けられるのが一般的であり、このような遮光部材には、例えば特許文献１に開示されているものが知られている。
【０００３】
上記特許文献１に開示されたレンズ鏡筒に設けられた遮光部材は、図１４に示すように、支持枠２１１により光軸方向に移動自在に支持されたレンズ群Ｌ１と、支持枠２２１により支持されたレンズ群Ｌ２と、支持枠２２１を光軸方向に駆動させるモータ２２３と、支持枠２２１と該モータ２２３とを支持する支持枠２６３を備えたレンズ鏡筒において、支持枠２１１と支持枠２６３の間に上記レンズ群Ｌ１、Ｌ２間の光路周囲を囲む、蛇腹状の遮光部材２６１を配設したものである。この遮光部材２６１は、光軸方向に伸縮自在に形成されており、上記支持枠２１１、２６３の接離移動に追随して自在に伸縮することができるので、レンズを支持する枠が相互に移動するレンズ鏡筒においては、このような蛇腹状の遮光部材は、相互のレンズ支持枠が接離移動したとしても十分な遮光効果を発揮するため、実用上非常に有効である。
【０００４】
【特許文献１】
実開平６−２３０９号公報
【０００５】
【発明が解決しようとする課題】
ところで、上記特許文献１に記載のレンズ鏡筒は、蛇腹形状の遮光部材２６１が、支持枠２１１と支持枠２６３の間に配設されているため、支持枠２２１と支持枠２６３との光軸方向の相対距離は一定の値を必要として、あまり近づけることができない。
【０００６】
本発明は上記問題点に鑑みてなされたものであり、その目的は、各レンズ支持枠が光軸方向に対して相互に接離移動しても十分な遮光効果を発揮し、かつ単純な構造で省スペース化を実現した遮光部材を有するレンズ鏡筒を提供するにある。
【０００７】
【課題を解決するための手段、及び作用】
上記の目的を達成するために本発明によるレンズ鏡筒は、遮光機能を有したレンズ鏡筒において、第１の開口を有する第１の枠と、上記第１の開口と異なる開口で前記第１の開口に対向した第２の開口を有し、前記第１の開口と前記第２の開口との間隔が変化するよう上記第１の枠と相対移動する第２の枠と、一端が上記第１の開口周囲近傍の固定部に固着され、第３の開口を有し、他端が上記第２の開口周囲近傍の固定部に固着され、上記第３の開口とは異なる第４の開口を有し、上記第３の開口と上記第４の開口とを繋ぐテーパ状の変形可能な薄肉のリング状部材からなり、上記第１の枠と上記第２の枠との相対移動を可能とする遮光部材と、を有したことを特徴とする。
【０００８】
また、本発明によるレンズ鏡筒は、遮光機能を有したレンズ鏡筒において、第１の開口を有する第１の枠と、上記第１の開口より小さい開口である第２の開口を有し、上記第１の枠と相対移動する第２の枠と、一端が上記第１の開口周囲近傍の固定部に固着される第３の開口を有し、他端が上記第２の開口周囲近傍の固定部に固着される上記第３の開口より小さい開口である第４の開口を有し、上記第３の開口と上記第４の開口とを繋ぐテーパ状の変形可能な薄肉からなるリング状部材であって、上記第１の枠と上記第２の枠との相対移動を可能とする遮光部材と、を有したことを特徴とする。
【０００９】
さらに、上記遮光部材は、上記第１の枠と上記第２の枠とに組み付けられた状態において、上記テーパ状の中心軸方向に、座屈していることを特徴とし、また、上記座屈している座屈部は、上記第１の枠及び上記第２の枠が相対移動することによって上記テーパ状の中心軸方向に移動することを特徴とし、さらに、上記座屈部は、上記第１の開口周囲近傍の固定部、及び上記第２の開口周囲近傍の固定部に対し相対移動し、上記遮光部材の座屈部の一部は、上記第１の開口周囲近傍の固定部近傍を上記テーパ状の中心軸方向に通過可能であることを特徴とする。
【００１０】
【発明の実施の形態】
以下、図示の実施の形態によって本発明を説明する。
図１、図２は、本発明によるレンズ鏡筒が組み込まれたカメラの外観を示す斜視図であり、図１はバリア閉状態、図２はバリア開状態をそれぞれ示している。図３は、本発明の一実施形態を示すユニットとしてのレンズ鏡筒の繰り出し状態での外観を示す図である。
【００１１】
なお、以下の説明において、撮影レンズ光軸Ｏに沿う前後（被写体側と結像側）方向をＺ方向とし、Ｚ方向に対する左右の水平方向をＸ方向とし、Ｚ方向に対する上下方向をＹ方向とする。また、回転方向は、前方被写体側からみた回転方向で示す。
【００１２】
図１に示すカメラは、撮像素子で取り込まれた被写体の画像信号をデジタル信号に変換してメモリカード等に記録することが可能なデジタルカメラである。このカメラ本体１の外装筐体は、図１，図２に示すように前カバー２と、中カバー３と、後カバー４からなり、前カバー２には、その前面部に後述する撮影レンズ４７，ファインダ窓６等の前面を開閉するスライド操作可能なレンズバリア５が配設されている。
【００１３】
上記前カバー２と、上記中カバー３と、上記後カバー４は、カメラの外観面を形成する外装部材となる金属薄板により形成されており、それぞれその内側には、補強および組み付けのための合成樹脂からなる各内枠部材が接着固定されている。
【００１４】
上記前カバー２には、その前面部にカメラ本体内に沈胴可能なズームレンズ鏡筒である撮影レンズ鏡筒（以下、レンズ鏡筒と記載）１０と、ファインダ窓６と、ストロボ発光窓７等が配設されている。上記レンズ鏡筒１０，ファインダ窓６，ストロボ発光窓７等の前面部分は、上述したようにスライド可能な上記レンズバリア５により外部に露呈または外部から遮蔽される。図１に示すように、上記レンズバリア５が右側閉鎖位置（遮蔽位置，閉位置）にあるときには、上記レンズ鏡筒１０は、沈胴（収納）位置に繰り込まれており、前面部分が閉鎖されて撮影不可能な状態となっている。一方、図２に示すように、上記レンズバリア５が左方開放位置（露呈位置，開位置）にあるときには、上記レンズ鏡筒１０の前面部分が開放され、該レンズ鏡筒１０は、撮影可能な位置に繰り出された状態となる。
【００１５】
さらに、上記中カバー３の上面部には、レリーズスイッチ操作釦８が配設され、上記後カバー４の背面上部には、ファインダ接眼窓９が配設されている。
【００１６】
上記レンズ鏡筒１０は、沈胴可能なズームレンズ鏡筒であって、図３に示すように上記カメラ本体１の内部に固定支持される支持枠（以下、固定枠と称す）１１と、該固定枠１１に回転，進退自在に支持され、撮影状態で固定枠１１より前方に繰り出される回転枠（以下、カム枠と称す）１５およびズーム枠１６（第１の枠）を有している。
【００１７】
上記ズーム枠１６及び上記カム枠１５内には、後述するズーム光学系を構成する１群レンズ４７，２群レンズ４８（図５参照）が配設されている。尚、上記固定枠１１の前端側は、上記前カバー２に装着された鏡筒保持枠７１（図２参照）により支持されている。また、上記固定枠１１からはシャッタ駆動制御回路，フォーカス駆動制御回路用のフレキシブルプリント基板（以下、ＦＰＣと記載する）１０９が導出しており、さらに、上記固定枠１１に装着される、後述するズーム駆動ユニット１３からは、ズーム駆動制御回路用ＦＰＣ１０８が導出している。上記ＦＰＣ１０８，１０９は、図示しないカメラ内部の制御部に接続される。また、上記固定枠１１には、後述するズームファインダ駆動用ギア７５が配設されている。以下、上記レンズ鏡筒１０の構造の詳細について説明する。
【００１８】
図４は、上記レンズ鏡筒の固定枠側の分解斜視図であり、図５は、上記レンズ鏡筒のカム枠側の分解斜視図である。図６〜８は、上記レンズ鏡筒１０の各動作状態での上半部を断面にして示した拡大縦断面図であって、図６が沈胴状態、図７がワイド状態、図８がテレ状態をそれぞれ示している。
【００１９】
図４，図５に示すように、レンズ鏡筒１０の主要な構成部材としては、上記カメラ本体１（図１参照）に固定支持される固定枠１１と、該固定枠１１の外周部に取り付けられ、ズームモータ２４を有するズーム駆動ユニット１３と、前記固定枠１１の後方側に固定される固体撮像素子であるＣＣＤ６２（図６参照）を内蔵するためのＣＣＤユニット１２と、後述するズーム枠１６，２群枠２０を直進ガイドするためのフロートキー１４と、固定枠１１に嵌入し、沈胴位置と撮影位置との間を回動しながらかつ、光軸方向に進退し、そして、上記撮影位置でワイド回動位置からテレ回動位置間を回動のみ行うカム枠１５と、該カム枠１５に進退自在に嵌入し、フロートキー１４により直進ガイドされ、沈胴位置と撮影位置との間を進退移動するズーム枠１６（第１の枠）と、該ズーム枠１６内に固着され、フォーカスモータ４１を有する合焦駆動枠ユニット１７と、上記ズーム枠１６内に進退自在に支持され、前記合焦駆動枠ユニット１７により合焦駆動される１群枠１９（第２の枠）と、上記カム枠１５内に進退自在に嵌入する２群枠２０と、該２群枠２０に固定支持され、開閉可能な２枚のシャッタ羽根４９，５０およびＮＤフィルタ５１を有するシャッタユニット２１と、上記１群枠１９に保持される１群レンズ４７と、上記２群枠２０に保持される２群レンズ４８と、後に詳細に説明するがズーム枠１６の先端部と１群枠１９の先端部の間に配置される遮光部材である遮光ゴム７２（図６参照）と、上記カム枠１５の先端部と上記ズーム枠１６の後述する金属筒３２の外周の間に配置される遮光ゴム７３（図６参照）と、上記固定枠１１の先端部と上記カム枠１５の後述する金属筒３１の外周の間に配置される遮光ゴム７４（図６参照）と、シャッタユニット２１の背面部に配される遮光シート５５とを有してなる。
【００２０】
上記固定枠１１は、開口部１１ａを有する円環状部材であって、その外周部の一部にギヤ室１１ｄが設けられ、該ギヤ室１１ｄには、上記カム枠１５を光軸まわりに回動駆動するためのロングギヤ２６がその軸心を光軸と平行にＺ方向に沿わせた状態で回動可能に軸支されている。また、上記固定枠１１には、後に詳細に説明するが、その内周部に雌ヘリコイドネジ１１ｂと、上記雌ヘリコイドネジ１１ｂに連通する円周方向に沿ったロック溝１１ｃと、Ｚ方向に平行に沿ったキー溝１１ｆ，１１ｇとが設けられている。さらに、上記カム枠１５の沈胴回動終端の近傍位置検出用ミラー部（以下、ミラー部と称す）１５ｆ（図５参照）の位置を検出するためのカム枠回動位置検出センサ（図示せず）が内周部に配置されている。また、上記固定枠１１の内周部には、後述する上記カム枠１５との螺合の潤滑を良くするため、また反射防止の目的で、塗装が施されている。
【００２１】
上記ズーム駆動ユニット１３は、減速ギヤ列および終段アイドルギヤ２５を内蔵するギヤボックス２３と、ズーム駆動用ＤＣモータであるズームモータ２４とを有してなる。このズーム駆動ユニット１３は、ギヤボックス２３のビス挿通穴２３ａ，２３ｂを挿通させたビスを固定枠１１の上記ロングギヤ室１１ｄ端部のビスネジ穴１１ｅ等に螺着して固定枠１１の外周部に固定される。その固定状態で上記アイドルギヤ２５は、上記ロングギヤ２６と噛合する。なお、上記ロングギヤ２６は、カム枠１５の後端外周部に設けた後述のギヤ部１５ｃと噛み合い、さらにズームファインダ駆動用ギヤ７５（図３参照）とも噛合している。また、上記ズームモータ２４の回転軸には、図示しないスリット板が設けられていて、ギヤボックス２３の内部にはフォトインタラプタが配設されており、フォトインタラプタからのパルス検出信号により、後述する各レンズ群のズーム位置が制御される。
【００２２】
上記ＣＣＤユニット１２は、光軸上に撮像用開口部２２ａと、ロングギヤ軸支穴２２ｂを有するＣＣＤホルダ２２と、上記開口部２２ａ内側に光軸上に配置されるローパスフィルタ６１（図６参照）と、ＣＣＤホルダ１２の背面に固着されるＣＣＤ基板６３（図６参照）と、該ＣＣＤ基板６３上に実装され、撮像面が光軸Ｏと直交しているＣＣＤ６２（図６参照）と、該ＣＣＤ６２をＣＣＤホルダ１２に対して位置決めするためのＣＣＤ位置決め板６４（図６参照）とを有してなる。なお、上記ローパスフィルタ６１とＣＣＤ６２との間には、ＣＣＤゴム６５（図６参照）が圧縮状態で挟持されている。
【００２３】
上記フロートキー１４は、金属板製のリング部材で構成されており、開口部１４ａを有し、前方に向けてＺ方向に平行状態で延出する２本のキー部１４ｄ，１４ｆと、外周に突出し、上記固定枠１１のキー溝１１ｆ，１１ｇに摺動自在に嵌入する２つの凸部１４ｂ，１４ｃとが設けられている。上記一方のキー部１４ｄの先端部１４ｅは、僅かに幅寸法が広がる段形状を有している。このフロートキー１４の前側には、開口部２７ａを有するリング形状のフロートガイド２７がキー部１４ｄ，１４ｆの外側に挿入され、ビスによりフロートキー１４と固着されている。上記フロートガイド２７の外周には、複数の凸状の爪部２７ｂが設けられる。
【００２４】
尚、上記フロートキー１４は、リング形状のプレス成形部材であるが上記キー部１４ｆをリング部分の外側から、キー部１４ｄをリング部分の内側から折り曲げるようにして形成して、効率のよいブランク板取りを可能にしている。また、上記キー部１４ｄと１４ｆに対して、直進ガイド時の負荷は上記先端部１４ｅを持つキー部１４ｄの方に多く作用するが、上述のように折り曲げることにより、キー部１４ｄ側の方の強度を大きくすることができる（これは、キー部１４ｄ側のリング形状部とのつながり部分の幅（肉厚）が広くとれるためである）。
【００２５】
上記カム枠１５は、開口部１５ａを有する円環状部材であって、その外周部後端側に前記固定枠１１の雌ヘリコイドネジ１１ｂと螺合可能な雄ヘリコイドネジ１５ｂと、上記ロングギヤ２６と噛合し、該雄ヘリコイドネジ１５ｂに重畳した状態の平歯車形状のギヤ部１５ｃと、該雄ヘリコイドネジ中に配されるミラー部１５ｆと、上記雄ヘリコイドネジ１５ｂに対して所定幅離間した前方位置に、固定枠１１のロック溝１１ｃに摺動自在に嵌入可能な、例えば３つの突起部（ロック凸部）１５ｄとが設けられている。
【００２６】
さらに、カム枠１５の内周面部１５ｇには、後方端側に上記フロートガイド２７の爪部２７ｂが摺動自在に嵌入する、周方向に沿った内周ガイド溝１５ｈと、光軸Ｏ方向に対して斜行する、例えば３本のカム溝１５ｅが設けられている。そして、上記カム枠１５の上記ロック凸部１５ｄより前方側の外周部には、外装キャップ部となる金属筒３１が嵌合、固着されている。また、上記カム枠１５の内周面部１５ｇには、後述する上記カム枠１５との螺合の潤滑を良くするため、また反射防止の目的で、塗装が施されている。
【００２７】
上記ズーム枠１６（第１の枠）は、先端部に前方開口部１６ａを有する円環状筒部材で構成されていて、該前面開口部１６ａの内周面側の開口部（第１の開口）１６０（図１１参照）近傍周囲には、内周面に沿って、後述する遮光ゴム７２の一端である外周端部（被狭接部７２ｅ）（図１１参照）が、例えば固定ピンにより後述する固定部１６ｅに固定（固着）されている。また、前記ズーム枠１６の後方外周に延び出した３つの突出片１６ｄに設けられた取り付け穴には、上記カム枠１５の上記カム溝１５ｅに摺動自在に嵌入する、例えば３つのカムフォロア３５が嵌合固着されている。また、前記ズーム枠１６の内周部には、光軸Ｏと平行な方向に沿った溝であって、フロートキー１４（図４参照）のキー部１４ｄの先端１４ｅおよびキー部１４ｆが摺動自在に嵌入するガイド溝１６ｂ，１６ｃが設けられている。
【００２８】
そして、上記ズーム枠１６の後方突出片１６ｄより前方の外周部には、外装キャップ部となる金属筒３２が嵌合、固着され、さらに、ズーム枠１６の前面部には、前飾り板３３が貼付されている。
【００２９】
上記合焦駆動枠ユニット１７は、合焦駆動枠１８と、該合焦駆動枠１８に固着される、例えばステッピングモータからなるフォーカスモータ４１と、上記１群枠１９を進退自在に支持する１群枠ガイドロッド４２（図６参照）と、該ガイドロッド４２に挿入され、上記１群枠１９を後方に付勢する圧縮バネである付勢バネ４４（図６参照）と、上記フォーカスモータ４１により回転駆動される１群枠進退駆動用送りネジ部（図示せず）とを有してなる。
【００３０】
上記合焦駆動枠１８は、ズーム枠１６の内部にビスにより固着される枠部材であって、上記１群ガイドロッド４２を光軸Ｏと略平行な方向で支持しており、さらに、１群ガイドロッド４２の側方位置に回転自在に１群ガイドロット４２と平行に支持される上記送りネジ部が設けられている。上記送りネジ部は、上記フォーカスモータ４１によりピニオンと図示せぬ減速ギヤ列によって回転駆動され、この送りネジの回転によって上記１群枠１９が前記付勢バネ４４に抗して上記１群ガイドロッド４２に沿って進退駆動される。なお、上記１群枠１９の進退方向のガタ分は、前記付勢バネ４４の付勢力により取り除かれる。
【００３１】
上記１群枠１９（第２の枠）は、その内周部に上記１群レンズ４７が保持される上記第１の開口１６０よりも径の小さい第２の開口を有している。該１群枠１９の前端部には、上記第１の開口と上記第２の開口は互いに平行して対向し、互いに光軸方向に相対移動可能となっている。つまり、１群枠１９とズーム枠１６とが光軸方向に相対移動可能となっている。上記第２の開口周囲と前記１群レンズ４７外囲との間を覆うように、後述する遮光ゴム７２の内周端部である他端７２ｆが、後述する前記第２の開口１９０近傍周囲の固定部１９ａ（いずれも図１１参照）に前記固定部１９ａを覆うように接着固定（固着）されている。
【００３２】
また、前記１群枠１９は、遊嵌穴であるスリーブ穴１９ｂ（図６参照）に接着固定されるスリーブ４３（図６参照）を有している。このスリーブ４３は、生産時に１群枠１９のスリーブ穴１９ｂに所謂、ガタガタ状態である遊嵌状態で嵌合させられている。この状態においてガイドロッド４２の代りの生産ライン上の光軸調整機器の光軸調整用治具ロッドとスリーブ４３とが嵌合され、公知の上記光軸調整機器により、１群レンズ４７が接着固定された１群枠１９の光学芯と上記光軸調整用治具ロッドとを平行にした後、スリーブ４３とスリーブ穴１９ｂとの間に接着剤を注入して固定する。これによって、スリーブ４３の機械的中心軸と１群枠１９の光学芯、即ち１群レンズ４７の光学芯とが平行になったことになる。その後、前記１群枠１９は、上記スリーブ４３に前記１群ガイドロッド４２を摺動自在に精密な嵌合状態で嵌入させ、さらに、上記１群枠１９の図示しないガイド突起を上記合焦駆動枠１８のガイド溝に嵌入させた状態で上記ズーム枠１６内に光軸Ｏ方向に進退可能に組み付けられる。
【００３３】
なお、上記ガイドロッド４２は、上記１群レンズ４７の上記光軸調整とは異なる芯合わせを行って前記合焦駆動枠１８に接着固定される。すなわち、前記ガイドロッド４２の前方端部は、上記ズーム枠１６の軸穴に嵌入し、後方端部は、上記合焦駆動枠１８の軸穴１８ｃに位置調整ガタ分の隙間のある状態で嵌入して支持可能であり、上記合焦駆動枠１８の組み込み時に上記ガイドロッド４２は、前記１群レンズ４７の上記スリーブ４３を挿通させて両端を上記ズーム枠１６の軸穴と前記合焦駆動枠１８の軸穴１８ｃで支持した状態とする。
【００３４】
そこで、上記ズーム枠１６の外周部を基準にして上記１群枠１９に固着された前記１群レンズ４７の光軸を上下左右に上記ガイドロッド４２の傾きを変えながら調整して芯合わせする。その芯合わせ状態で上記軸穴１８ｃと上記ガイドロッド４２の上記後方端部との隙間に接着剤を注入して、上記ガイドロッド４２の軸端の光軸Ｏ直交方向の位置を固定する。上記ガイドロッド４２の位置移動操作は、上記ガイドロッド４２の後端側凹部に操作具を挿入して行うことができる。また、上記ガイドロッド４２には、光軸Ｏと平行方向の位置規制のために上記軸穴１８ｃの前方にＥ型止め輪（Ｅリング）４５が装着されており、さらに、上記止め輪４５と軸穴１８ｃの壁面との間には、座金４６が挿入されている。この座金４６によりスリーブ４３とガイドロッド４２の摺動面への上記注入された接着剤のもれ出しが防止される。
【００３５】
ここで、上記ズーム枠１６の先端部と上記１群枠１９の先端部の間に配設される上記遮光ゴム７２について説明すると、図９は、遮光ゴム７２の形状を拡大して示した正面図、図１０は、図９の遮光ゴムのＡ−Ａ線に沿う断面図である。
【００３６】
図９、図１０に示すように、遮光ゴム７２は、例えばシリコンゴムからなる変形可能な薄肉のリング状部材からなり、上記ズーム枠１６に固着される側、即ち組み付け後、光軸方向前方となる側に第３の開口７２ａを有し、また、上記１群枠１９に固着される側、即ち組み付け後、前記第３の開口よりも光軸方向後方となる側に前記第３の開口７２ａとは異なる前記第３の開口７２ａよりも径の小さい第４の開口７２ｂを有し、さらに、前記第３の開口７２ａと前記第４の開口７２ｂとを繋ぐテーパ部７２ｃを有して構成されている。また、上記第３の開口７２ａの周縁部には、上記ズーム枠１６に固定（固着）するための複数の固定ピン挿通孔７２ｄが穿設された複数の被狭接部７２ｅが前記第３の開口７２ａの周縁部から放射状に外方に突出して前記第３の開口７２ａの周縁部と一体に形成されている。さらに、上記第４の開口７２ｂの周縁近傍には、第２の開口周囲近傍の固定部１９ａ（いずれも図１１参照）に接着固定（固着）される他端７２ｆが一体に形成されている。
【００３７】
次に、このように構成された遮光ゴム７２の上記ズーム枠１６及び上記１群枠１９への固定（固着）、つまり組み付け方法を説明すると、図１１は、図９の遮光ゴムをズーム枠１６及び１群枠１９に固着、この状態で遮光ゴム７２の被狭接部７２ｅはズーム枠１６の内面と合焦駆動枠１８の前面との間に挟まれ固定されていて、その後、上記ズーム枠１６に対して上記１群枠１９を移動させた際の遮光ゴムの形状をそれぞれ示した断面図である。
【００３８】
図１１に示すように、先ず、上記遮光ゴム７２を、上記テーパ部７２ｃが直線的に伸びている状態で、即ち、上記１群枠１９が上記ズーム枠１６よりも光軸方向後方の任意の位置Ｃにおいて上記ズーム枠１６及び上記１群枠１９に組み付ける。尚、この組み付けた際の上記遮光ゴム７２Ａの形状は、何ら外力の加わっていない上記遮光ゴム７２の自然形状である。即ち、テーパ部７２ｃはテーパ形状を保っている。
【００３９】
上記１群枠１９への組み付けは、上記遮光ゴム７２の他端７２ｆを上記１群枠１９の第２の開口周囲近傍の固定部１９ａに、該固定部１９ａの周面を光軸方向に覆うように接着固定（固着）することにより行われる。また、上記ズーム枠１６への組み付けは、上記遮光ゴム７２の上記複数の固定ピン挿通孔７２ｄを介して、図示しない複数の固定ピンで上記ズーム枠１６の第１の開口周囲近傍の固定部１６ｅに上記遮光ゴム７２の複数の被狭接部７２ｅを挟み込むように固定（固着）することにより行われる。尚、上記遮光ゴム７２の組み付けは、上記ズーム枠１６に固着してから上記１群枠１９に固着しても良い。
【００４０】
次に、上記１群枠１９を図１１に示す位置Ｂまで光軸方向の前方（遮光ゴム７２のテーパ部７２ｃの中心軸方向。以下、テーパ状の中心軸方向と称す）に向けて移動させる。このように、上記遮光ゴム７２を移動させると、図１１に示すように、遮光ゴム７２のテーパ部７２ｃの中程には、テーパ状の中心軸方向に略Ｓ字形状の座屈部７２ｇが形成される。尚、上記位置Ｂは、上記１群レンズ４７の合焦動作時の∞位置である。よって、組み付け後は、上記遮光ゴム７２は、合焦動作時以外は、上述した１群ガイドロッド４２（図６参照）の側方位置に配設された上記送りネジ部の図示しない移動規制板により常時位置Ｂに位置し、上記座屈部７２ｇは、後述する実使用領域Ｄ（図１２参照）において上記１群枠１９の移動により変形はするものの常時形成された状態となる。
【００４１】
ここで、上記１群枠１９は、上述したように、上記付勢バネ４４（図６参照）により、ＣＣＤ６２側、即ち後方に付勢されている。上記遮光ゴム７２と上記付勢バネ４４の力量関係を図１２に示す。図１２は、上記ズーム枠１６に対して上記１群枠１９が移動した際の図９に示す遮光ゴムの「力量−変位」と前記１群枠１９を後方に付勢する上記付勢バネ４４の「力量−変位」と上記ズーム枠１６に対して上記１群枠１９が変位したときの上記２つの力量変化を重ね合わせたときの力量関係を示した図である。
【００４２】
図１２に示すように、組み付け位置Ｃから、∞位置（位置Ｂ）まで上記１群枠１９を移動させると、遮光ゴム７２は、曲線▲２▼に示すように、位置Ｃから光軸方向前方に約１ｍｍ変位した位置で上記テーパ部７２ｃの座屈を開始し、その後上記力量は位置Ｂでは最大力量約０．１Ｎであったものが０．０６〜０．０７Ｎまで減少する。尚、この座屈開始時は、上記遮光ゴム７２の上記力量が最も大きくなる位置から僅かにズレた位置である。一方、上記付勢バネ４４の力量は、曲線▲１▼に示すように、上記位置Ｃでの上記力量０．１Ｎから上記位置Ｂでは上記力量０．１２〜０．１３Ｎまで増加する。
【００４３】
図１１に戻って、合焦動作の際に、上記１群枠１９を、上述したように上記合焦駆動枠１８に固着されるフォーカスモータ４１（図５）により、上記ズーム枠１６に対して光軸方向の前方（テーパ状の中心軸方向）に相対的に移動させると、上記遮光ゴム７２は、光軸方向の最大前方位置（至近位置よりさらに前方位置）である位置Ａ’に位置することが可能である。この位置Ａ’は、前記位置Ｂから光軸方向の前方にさらに変位（図１２参照）した位置である。このとき、前記座屈部７２ｇも、上記１群枠１９とともに、光軸方向の前方（テーパ状の中心軸方向）に移動する。よって上記座屈部７２ｇは、上記第１の開口周囲近傍の固定部１６ｅ及び上記第２の開口周囲近傍の固定部１９ａに対しても光軸方向に相対移動し、また、上記座屈部７２ｇの一部は、上記第１の開口近傍周囲の固定部１６ｅの近傍を光軸方向に通過する。
【００４４】
上述した位置Ｂから位置Ａ’への移動の際の上記遮光ゴムの力量は、図１２の曲線▲２▼に示すように、位置Ｂでの上記力量０．０６〜０．０７Ｎから上記力量０．０４〜０．０５Ｎにまで減少する。一方、上記付勢バネ４４の力量は、曲線▲１▼に示すように、上記位置Ｂでの上記力量０．１２〜０．１３Ｎから上記位置Ａ’では上記力量０．１６〜０．１７Ｎまで増加する。
【００４５】
尚、この位置Ｂ〜位置Ａ’までの間の位置が、上記１群枠１９が上記ズーム枠１６に対して相対移動する領域、即ち、実使用領域Ｄである。但し、この位置Ａ’は１群枠１９が被写体に対する合焦動作を行うときに移動する移動可能位置であり、必ずしも最至近の被写体に対して常にこの位置まで１群枠１９が移動することではない。所謂、山登り方式ＡＦ（コントラストＡＦ）において生ずる現象である。そして、１群枠１９のこの位置Ａ’の位置は合焦動作中での位置であり、合焦動作完了では１群枠１９の最先端面はズーム枠１６の最先端面より突出していない。被写体が最至近位置にある場合のズーム枠１６の最先端面位置はズーム枠１６の最先端面から僅かに引っ込んだ位置であり、これを位置Ａとする。この実使用領域Ｄにおける上記遮光ゴム７２の上記１群枠１９に対するゴム力量と上記付勢バネ４４の上記力量を考慮したものを図１２の曲線▲３▼に示す。この曲線▲３▼に示すように、上記実使用領域Ｄにおいては、上記力量は、略均一状態となっている。よって、上記１群枠１９の上記ズーム枠１６に対する相対移動で、上記力量に対する変化は殆ど無い。即ち、位置Ｂで上記遮光ゴム７２のテーパ部７２ｃを座屈させてからは、上記１群枠１９の光軸方向に対する前後移動での力量の変化は、殆ど無いことになる。
【００４６】
図５に戻って、上記２群枠２０には、その開口部前面に絞り２０Ａが装着され、該絞り２０Ａの後方に上記２群レンズ４８が保持されている。前記２群枠２０の外方３箇所には、上記カム枠１５のカム溝１５ｅに摺動自在に嵌入する、例えば３つのカムフォロア３６が固着されており、さらに、外方２箇所に上記フロートキー１４のキー部１４ｄ，１４ｆが嵌入するガイド穴２０ｅ，２０ｆが設けられている。また、上記２群枠２０の上方部は、切り欠き部２０ｇが設けられている。該切り欠き部２０ｇは、上記レンズ鏡筒１０のズーム駆動時に上記フォーカスモータ４１の進退移動を許容するスペースとなる。
【００４７】
上記シャッタユニット２１は、中央部に絞り開口３７ａと上方に切り欠き部３７ｓが設けられたシャッタ地板３７と、該シャッタ地板３７の背面側に収納される開閉回動可能な２枚のシャッタ羽根４９，５０および１枚の減光用ＮＤフィルタ５１と、上記シャッタ地板３７に固着される２つのムービングコイル型アクチュエータであって、シャッタ駆動源であるシャッタアクチュエータ５２およびフィルタ駆動源であるフィルタアクチュエータ５４と、上記シャッタ羽根４９，５０およびＮＤフィルタ５１を光軸Ｏ方向を規制するためのシャッタ押さえ３８とを有してなる。なお、上記切り欠き部３７ｓは、ズーム駆動時に上記フォーカスモータ４１の進退移動を許容するスペースとなる。
【００４８】
上記シャッタユニット２１は、上記２群枠２０に対して、その背面側に固定して一体化される。すなわち、上記２群枠２０に上記シャッタ地板３７の係止爪３７ｃを係止させた状態でビスにより該シャッタ地板３７を上記２群枠２０の背面側に固定して一体化される。よって、本実施の形態におけるレンズ鏡筒においては、上記シャッタユニット２１を上記２群枠２０の背面側に配置したため、図６に示す沈胴状態において、上記１群レンズ４７と上記２群レンズ４８を限りなく近づけることができるため、沈胴状態で上記カメラ本体１（図１参照）を薄型化することができる。
【００４９】
また、上記シャッタユニット２１の前記シャッタ押さえ３８の背面には、図６に示すように弾性変形可能（変位可能）な遮光シート５５が配置されている。上記遮光シート５５は、図７に示すように光軸Ｏ近傍がビス止めされ、上半部が自由状態でシャッタ押さえ３８に密着して支持されている。前記遮光シート５５により上記２群枠２０や前記シャッタ地板３７の切り欠き部２０ｇ，３７ｓから上記ＣＣＤユニット１２側への不要光が遮光（遮断）される。そして、上記フォーカスモータ４１が上記切り欠き部２０ｇ，３７ｓに進入してきたときには、図６，８に示すように上記フォーカスモータ４１の後端部で前記遮光シート５５が押圧され、後方に弾性変形（遮光シート上部先端が変位）することにより、上記フォーカスモータ４１の進入が可能となる。これによりレンズ鏡筒の短縮化が図られることになる。
【００５０】
上述したレンズ鏡筒１０の各構成部材は、一例として以下の手順で組み立てられる。勿論、他の手順で組み立てることも可能である。まず、上記カム枠１５の内周部１５ｇに後方側から上記ズーム枠１６を嵌入させ、該ズーム枠１６の上記カムフォロア３５を上記カム溝１５ｅに嵌入させ、上記１群枠１９および上記合焦駆動ユニット１７を上記ズーム枠１６の装着する。この際、図１１で上述したように、上記遮光ゴム７２を上記ズーム枠１６及び上記１群枠１９に固着する。次に、上記ズーム枠１６を上記カム枠１５に組み込む。そして、上記カム枠１５の内部にシャッタユニット２１が一体化された上記２群枠２０を挿入して、上記２群枠２０の前記カムフォロア３６を上記共通のカム溝１５ｅに嵌入させる。
【００５１】
さらに、上記フロートガイド２７が装着された上記フロートキー１４を、上記カム枠１５の後面側から挿入し、上記キー部１４ｄ，１４ｆを上記２群枠２０のガイド穴２０ｅ，２０ｆに挿通させる。さらに、上記キー部１４ｄの先端部１４ｅを上記ズーム枠１６のガイド溝１６ｂ側に嵌入させ、上記キー部１４ｆを上記ズーム枠１６のガイド溝１６ｃ側に嵌入させる。
【００５２】
その後、上記フロートガイド２７の凸部１４ｂを、上記カム枠１５の内周ガイド溝１５ｈに嵌入させる。なお、上記フロートガイド２７の凸部１４ｂが上記内周ガイド溝１５ｈに嵌入し、かつ、後述するように上記フロートキー１４の凸部１４ｂ，１４ｃが固定枠１１に直進ガイドされることから、上記フロートキー１４は、上記固定枠１１に対して回転規制された状態で光軸Ｏ方向には上記カム枠１５と一体的に進退移動することになる。
【００５３】
続いて、上記ズーム枠１６，上記２群枠２０，上記フロートキー１４等が組み込まれたカム枠１５を上記固定枠１１の後面側から挿入し、後に詳細に説明するが、上記カム枠１５の雄ヘリコイドネジ１５ｂを上記固定枠１１の雌ヘリコイドネジ１１ｂに螺合させ、かつ、上記フロートキー１４の凸部１４ｂ，１４ｃを上記固定枠１１のキー溝１１ｆ，１１ｇに嵌入させる。そこで、上記ロングギヤ２６（図４参照）を上記固定枠１１のギヤ室１１ｄに挿入して前記ロングギヤ２６の前方軸支穴２６ａを図示しない固定枠側軸支ピン部に嵌合させておく。
【００５４】
その後、後方より上記ＣＣＤ６２等が組み付けられた上記ＣＣＤユニット１２の前記ＣＣＤホルダ２２を装着し、前記ＣＣＤホルダ２２の軸支穴２２ｂにロングギヤ２６の軸端２６ｂを嵌入させて、上記ＣＣＤホルダ２２をビスにより前記固定枠１１に固着する。以上の組み付けにより上記レンズ鏡筒１０が完成する。
次に、上記レンズ鏡筒１０の進退駆動動作について説明する。
図１に示すように上記レンズバリア５が閉位置にあって上記レンズ鏡筒１０がカメラ内に繰り込まれた沈胴状態にあるときは、図６に示すように上記固定枠１１の内部に上記ズーム枠１６および上記１，２群枠１９，２０等すべてが収納された状態に保持される。このとき、上記ズーム枠１６および上記２群枠２０のカムフォロア３５，３６は、それぞれ共通のカム溝１５ｅの沈胴終端位置に位置している。また、この沈胴状態で上記フォーカスモータ４１は、図６に示すように、上記２群枠２０および上記シャッタ地板３７の切り欠き部２０ｇ，３７ｓに進入した位置にあり、上記フォーカスモータ４１の後端部で上記シャッタ押さえ３８に装着される上記遮光シート５５が押圧され、後方に変形させた状態に保持されている。
【００５５】
そこで、図２に示すようにレンズバリア５を開放位置にスライド操作すると、カメラ内の制御部の指示にしたがってレンズ鏡筒１０は、上記沈胴状態から図７に示す撮影可能なワイド状態に繰り出される。すなわち、上記ズームモータ２４が駆動され、上記ロングギヤ２６が回転し、ギヤ部１５ｃを介して上記カム枠１５が時計回りに回動駆動され、雌，雄ヘリコイドネジ１１ｂ，１５ｂを介して回転しながら前方に繰り出される。そして、上記カム枠１５のロック凸部１５ｄが上記固定枠１１のロック溝１１ｃに嵌入した状態となる。このロック溝嵌入状態では、上記カム枠１５は、上記ズームモータ２４の回転によって光軸方向に進退することなく撮影可能状態のワイド回動位置とテレ回動位置間を回動のみする。一方、このとき上記ズーム枠１６は、上記フロートキー１４により回転規制された状態で上記カム枠１５とともに繰り出され、さらに、上記カム枠１５のカム溝１５ｅによりカムフォロア３５を介して撮影可能なワイド位置に繰り出される。そのとき、上記１群枠１９もワイド位置に繰り出される。尚、このワイド位置は、上記固定枠１１に対して上記カム枠１５が最も繰り出された位置である。さらに、上記２群枠２０も上記フロートキー１４により回転規制された状態で上記カム枠１５とともに繰り出され、さらに、上記カム枠１５の上記カム溝１５ｅによりカムフォロア３６を介して撮影可能なワイド位置に繰り出される。
【００５６】
なお、このワイド状態では、図７に示すように、上記２群枠２０と上記フォーカスモータ４１とは、互いに離間した位置にあるので上記遮光シート５５は、上記シャッタ押さえ３８に密着した状態に保持されており、上記２群枠２０の切り欠き部２０ｇからの不要光が遮光される。
【００５７】
上記撮影可能なワイド状態から上記ズームモータ２４を駆動し、上記カム枠１５をさらに時計回りの回動させると、図８に示すように、上記ズーム枠１６とともに上記１群枠１９が上記フロートキー１４により回転規制状態でテレ位置に向けて進退移動する。同様に上記２群枠２０も上記フロートキー１４により回転規制状態でテレ位置に進退移動する。さらに、上記カム枠１５の上記カム溝１５ｅによりカムフォロア３６を介してテレ位置に繰り出される。
【００５８】
上記テレ状態にあるときは、図８に示すように上記１群枠１９と上記２群枠２０は、極接近して位置する。したがって、上記フォーカスモータ４１が上記２群枠２０，上記シャッタ地板３７の上記切り欠き部２０ｇ，３７ｓに進入するので、遮光シート５５がフォーカスモータ４１によって押圧され、変形して後方に傾斜する。しかし、上記切り欠き部２０ｇ，３７ｓには、上記フォーカスモータ４１が位置していることから上記切り欠き部２０ｇ，３７ｓからの不要光の漏れは殆どない。
【００５９】
ワイド状態からテレ状態までの間で任意の撮影位置が決定した後、上記１群枠１９に保持された上記１群レンズ４７による合焦動作が、上述した図１１に示したように、上記ズーム枠１６に対して、上記１群枠１９を上記フォーカスモータ４１により相対移動させることにより行われる。
【００６０】
撮影終了後、上記図２に示すように、上記レンズバリア５を閉方向にスライド移動させると、上記ズームモータ２４が回転駆動され、上記カム枠１５が反時計回りにワイド回動位置を経て沈胴回動位置に向けて回転駆動される。それと同時に、上記カムフォロア３５，３６が共通のカム溝１５ｅを摺動してズーム枠１６，２群枠２０等が沈胴位置に向けて繰り込まれる。
【００６１】
ここで、上記カム枠１５が沈胴回動位置の終端近傍まで回動したとき、上記固定枠１１に取り付けられた図示しないカム枠回動位置検出センサにより上記カム枠１５の上記ミラー１５ｆが検出される。よって、カメラの制御部の指示により上記ズームモータ２４は、図示しないスリット板とフォトインタラプタからのパルス検出信号により減速駆動モードに入り、その後、上記カム枠１５が沈胴終端回動位置に到達したときに停止する。
【００６２】
図１３は、上記レンズ鏡筒１０の沈胴状態から撮影可能なワイド状態、さらに、テレ状態への変化に対応する、結像面（ＣＣＤ撮像面）に対する各レンズ群の進退位置を示す図である。図１３に示すように上記１群レンズ４７，上記２群レンズ４８は、沈胴位置から撮影可能なワイド位置に向けてほぼ直線的に繰り出され、さらに、それぞれのテレ位置へ繰り出し、または移動する。このレンズ系では、テレ位置での１群レンズの位置はワイド位置での位置より僅かに後方に位置する。
【００６３】
また、上記ワイド状態からテレ状態の間での合焦駆動動作は、上述したように、上記ＣＣＤ６２（図６乃至図８参照）による撮像信号によって合焦データに基づいて上記フォーカスモータ４１（図５参照）が駆動制御され、上記１群枠１９により保持される１群レンズ４７が上記ズーム枠１６に対して相対的に各合焦位置に進退駆動され、合焦が行われる。
【００６４】
このように構成された本発明の実施の形態におけるレンズ鏡筒は、上記ズーム枠１６と上記１群枠１９の間に、上記テーパ部７２ｃに上記座屈部７２ｇを形成するような簡単な構造の上記遮光ゴム７２を配設したため、上記１群枠１９が合焦動作の際に、上記ズーム枠１６に対して光軸方向前方に遮光効果を損なうことなく、相互移動させることができる。
【００６５】
また、上記遮光ゴム７２は、図１２に示すように、上記１群レンズ４７の合焦動作時の∞位置（位置Ｂ）で上記座屈部７２ｇを形成してから、上記ズーム枠１６に対して上記１群枠１９が光軸方向前方に最も繰り出した位置（位置Ａ’）までの上記実使用領域Ｄにおいては、上記ズーム枠１６及び上記１群枠１９に加わる上記遮光ゴム７２及び上記付勢バネ４４の合成力量はほぼ一定である。よって、合焦動作の際に、上記実使用領域Ｄでは上記ズーム枠１６に対して上記１群枠１９の相対移動を少ない力量で行うことができ、また、上記１群枠１９を駆動する上記フォーカスモータ４１を小型化することができるので、レンズ鏡筒１０の省スペース化を実現できる。
【００６６】
尚、本実施の形態においては、図１２に、上記ズーム枠１６に対して上記１群枠１９が移動した際の上記遮光ゴム７２と前記１群枠１９を後方に付勢する上記付勢バネ４４の上記ズーム枠１６及び上記１群枠１９に対する力量関係の一例を示したが、この力量データは、使用する遮光ゴムの材質によって変化する。しかしながら、本実施の形態のように遮光ゴム７２を上記ズーム枠１６と上記１群枠１９の間に配設すれば、ゴム自身の力量は変化しても、上記ズーム枠１６及び上記１群枠１９に加わる上記遮光ゴム７２及び上記付勢バネ４４の合成力量の関係は、ほぼ一定となり、少ない力量で上記１群枠１９を駆動することができることに変わりはない。
【００６７】
また、本実施形態においては、上記座屈部７２ｇを有した遮光ゴム７２を、上記ズーム枠１６及び上記１群枠１９間に配設したが、光軸方向への移動が少ない枠間であれば、どの枠間に使用しても本実施の形態と同様の効果が得られることは云うまでもない。
【００６８】
さらに上記遮光ゴム７２の上記ズーム枠１６への固定は、固定ピンにより、また、上記１群枠１９への固定は、接着により固着したが、これに限らず、固着強度に影響がなければ、どのような固着手段を用いても構わない。
【００６９】
また、上記遮光ゴム７２は、本実施の形態においては、遮光効果のみ触れたが、遮光効果のほかにも、防水及び防塵等に効果を発揮することは勿論である。
【００７０】
さらに、本発明の実施の形態は、デジタルカメラを例に挙げて説明したが、銀塩カメラ及びビデオカメラ等に適用しても同様の効果が得られるということは勿論である。
【００７１】
【発明の効果】
以上、述べたように本発明によれば、各レンズ支持枠が光軸方向に対して相互に接離移動したとしても十分な遮光効果を発揮し、かつ単純な構造で省スペース化を実現した遮光部材を有するレンズ鏡筒を提供できる。
【図面の簡単な説明】
【図１】本発明によるレンズ鏡筒が組み込まれたカメラのバリア閉状態を示す斜視図、
【図２】上記図１のカメラのバリア開状態を示す斜視図、
【図３】本発明の一実施形態を示すレンズ鏡筒の斜視図、
【図４】上記図３のレンズ鏡筒の固定枠側の構成部材を示す分解斜視図、
【図５】上記図３のレンズ鏡筒のカム枠側の構成部材を示す分解斜視図、
【図６】上記図３のレンズ鏡筒の沈胴状態における上半分を断面にして示す拡大縦断面図、
【図７】上記図３のレンズ鏡筒のワイド状態における上半分を断面にして示す拡大縦断面図、
【図８】上記図３のレンズ鏡筒のテレ状態における上半分を断面にして示す拡大縦断面図、
【図９】上記図３のレンズ鏡筒に配設される遮光ゴムの形状を拡大して示した正面図、
【図１０】図９の遮光ゴムのＡ−Ａ線に沿う断面図、
【図１１】図９の遮光ゴムをズーム枠及び１群枠に固着した後、ズーム枠に対して上記１群枠が移動した際の遮光ゴムの形状を示した要部拡大断面図、
【図１２】遮光ゴムと付勢バネのズーム枠及び１群枠に対する力量関係の一例を示した線図、
【図１３】上記図３のレンズ鏡筒の沈胴状態、撮影可能なワイド状態、テレ状態における結像面に対する各レンズ群の進退位置を示す図、
【図１４】従来の遮光部材の一例を示す要部拡大断面図。
【符号の説明】
１０…レンズ鏡筒、
１６…ズーム枠（第１の枠）
１６ｅ…第１の開口周囲近傍の固定部
１９…１群枠（第２の枠）
１９ａ…第２の開口周囲近傍の固定部
７２…遮光ゴム（遮光部材）
７２ａ…第３の開口
７２ｂ…第４の開口
７２ｃ…テーパ部
７２ｇ…座屈部
１６０…第１の開口
１９０…第２の開口
【図１】
2004252197.tif 000003
【図２】
2004252197.tif 000004
【図３】
2004252197.tif 000005
【図４】
2004252197.tif 000006
【図５】
2004252197.tif 000007
【図６】
2004252197.tif 000008
【図７】
2004252197.tif 000009
【図８】
2004252197.tif 000010
【図９】
2004252197.tif 000011
【図１０】
2004252197.tif 000012
【図１１】
2004252197.tif 000013
【図１２】
2004252197.tif 000014
【図１３】
2004252197.tif 000015
【図１４】
2004252197.tif 000016